(57)【要約】【課題】踏み台の上面に載置固定することで、履物の着脱作業に必要な高さの座面を確保することができ、履物の着脱が楽な姿勢で行える玄関用スツールを提供する。【解決手段】底部が底板１２で閉鎖されて内部が空間となる周壁１３の上部に座面板１４をヒンジ２２で取付けてスツール本体１５を形成し、前記周壁１３の下部で前端部の位置に、スツール本体１５の下部から下向きに突出する脚部１６を設け、この脚部１６の下面に接地脚１７を上下に位置調整可能に取付ける。【選択図】図１
2010131109.tif 000002
【特許請求の範囲】
【請求項１】
底部が底板で閉鎖されて内部が空間となる周壁の上部に座面板を設けてスツール本体を形成し、前記周壁の下部で前端部の位置に、スツール本体の下部から下向きに突出する脚部を設け、この脚部の下面に接地脚を上下に位置調整可能に取付けた玄関用スツール。
【請求項２】
上記座面板が周壁に対してヒンジで取付けられ、このヒンジを支点に座面板を起伏動させることにより、内部が収納空間となる周壁の上面を開閉できるようにした請求項１に記載の玄関用スツール。
【請求項３】
上記周壁に開口を設け、この開口から周壁の内部に出し入れできる引き出しを備えている請求項１に記載の玄関用スツール。
【請求項４】
請求項１乃至３の何れかに記載の玄関用スツールと、玄関に設置する踏み台との組み合わせからなり、前記玄関用スツールにおける底板の下面に前後方向に長い突条を設け、前記踏み台の上面に前記突条が嵌まり合って前後にスライド可能となる凹溝を前後方向に沿って設け、スツール本体を踏み台の上に臨ませて前記突条を凹溝に嵌め合わせた状態で、玄関用スツールを底板からねじ込んだビスで踏み台に固定化するようにした玄関用スツールと踏み台の組み合わせ体。
【発明の詳細な説明】
【技術分野】
【０００１】
この発明は、玄関の上がり口に設置する踏み台に固定することにより、履物の着脱操作が座った状態で行えるようにする玄関用スツールと、この玄関用スツールと踏み台の組み合わせ体に関する。
【背景技術】
【０００２】
一般的な日本家屋において、玄関の床面と居間の間に段差が有り、足腰の弱い人には玄関の床面と居間の昇り降りが困難であったり苦痛を伴うため、玄関の床面に居間よりも低い高さの踏み台を設置し、この踏み台を介して昇り降りが楽に行えるようにしている。
【０００３】
ところで、玄関の床面と居間の間での昇り降りには履物の着脱を伴うことになり、特に靴の場合、立ったままでは着脱が困難で、転倒などの危険もあるので腰を掛けた状態で行うのが好ましい。
【発明の開示】
【発明が解決しようとする課題】
【０００４】
ところで、踏み台は、玄関の床面と居間の間の略中間の高さに形成されているので高さが低く、成人がこれに腰を掛けた場合、腰を屈めなければならないので体勢が窮屈になり、靴の着脱作業が行いにくいという問題がある。
【０００５】
そこで、この発明の課題は、上記のような問題点を解決するため、踏み台の上面に載置することで、履物の着脱作業に必要な高さの座面を確保することができ、履物の着脱が楽な姿勢で行える玄関用スツールと、この玄関用スツールと踏み台の組み合わせ体を提供することにある。
【課題を解決するための手段】
【０００６】
上記のような課題を解決するため、この発明は、底部が底板で閉鎖されて内部が空間となる周壁の上部に座面板を設けてスツール本体を形成し、前記周壁の下部で前端部の位置に、スツール本体の下部から下向きに突出する脚部を設け、この脚部の下面に接地脚を上下に位置調整可能に取付けたものである。
【０００７】
上記座面板が周壁に対してヒンジで取付けられ、このヒンジを支点に座面板を起伏動させることにより、内部が収納空間となる周壁の上面を開閉できるようにしたり、上記周壁に開口を設け、この開口から周壁の内部に出し入れできる引き出しを備えているようにすることができる。
【０００８】
また、玄関用スツールと踏み台の組み合わせ体は、請求項１乃至３の何れかに記載の玄関用スツールと、玄関に設置する踏み台との組み合わせからなり、前記玄関用スツールにおける底板の下面に前後方向に長い突条を設け、前記踏み台の上面に前記突条が嵌まり合って前後にスライド可能となる凹溝を前後方向に沿って設け、スツール本体を踏み台の上に臨ませて前記突条を凹溝に嵌め合わせた状態で、玄関用スツールを底板からねじ込んだビスで踏み台に固定化するようにしたものである。
【０００９】
ここで、上記スツール本体は、木材板や合成樹脂板を用い、周壁は両側壁と後壁及び前方に突出する半円形の前壁によって前部が半円の枠形に形成され、この前壁は下端を延長することにより半円形の脚部と一体となり、この脚部は、スツール本体を踏み台の上に載置したとき、下端が玄関の床面に達する程度の上下長さを有し、周壁は底板によって底部を閉鎖することで、内部が小物部材の収納空間になっている。
【００１０】
上記突条は、底板の下面における幅方向中央部で後部寄りの位置に固定され、前後端部にビス挿通孔が設けられ、底板の下面で前記突条を挟む両側の位置に、ゴム製でビス挿通孔が設けられた踏み台上への当接部材が固定され、各ビス挿通孔から踏み台の天板に向けてねじ込んだ合計４本のビスで、スツールを踏み台に固定化するようになっている。
【００１１】
また、スツール本体の両側壁の後端下部には、踏み台の天板に当接する高さ調節部材が取付けられている。
【発明の効果】
【００１２】
この発明によると、内部が空間となる周壁の上部に座面板を設けてスツール本体の前端部の位置に、スツール本体の下部から下向きに突出する脚部を設け、この脚部の下面に接地脚を上下に位置調整可能に取付けたので、玄関の上り口に設置された踏み台の上にスツール本体を設置固定すれば、上部の座面板によって窮屈にならない姿勢で腰を掛けることができる高さの座面を確保することができ、座面に腰を掛ければ履物の着脱が楽な姿勢で行えるようになる。
【００１３】
また、スツール本体の前部に下部から下向きに突出する脚部を設けたので、スツール本体の前部を踏み台から突出させた状態で固定しても、脚部が玄関の床面に接することで前部の荷重を支持することができ、スツール本体の前部を踏み台から突出させることで踏み台と干渉することなく座れるので、着席の動作が行いやすいと共に、前部側に片寄った荷重をかけても転倒するようなことがなく、安全性が向上する。
【００１４】
更に、スツール本体を踏み台の上に臨ませて前記突条を凹溝に嵌め合わせた状態で、玄関用スツールを底板からねじ込んだビスで踏み台に固定化するようにしたので、踏み台に対してスツールを固定するとき、スツールの前後位置調整を突条と凹溝で誘導することができ、踏み台に対するスツールの固定作業が簡単に行える。
【発明を実施するための最良の形態】
【００１５】
以下、この発明の実施の形態を添付図面に基づいて説明する。
【００１６】
先ず、玄関の床面に設置する踏み台１は、図１のように、横長の矩形となる木製天板２の下部に複数の脚部３を設け、天板２の表面に滑り止め用の溝４を施した構造を有し、玄関の床面と居間の段差の略半分程度の高さを有している。
【００１７】
上記踏み台１に固定するスツール１１は、図１乃至図５のように、底部が底板１２で閉鎖されて内部が空間となる周壁１３の上部に座面板１４を設けてスツール本体１５を形成し、前記周壁１３の下部で前端部の位置に、スツール本体１５の下部から下向きに突出する脚部１６を設け、この脚部１６の下面に接地脚１７を上下に位置調整可能に取付けた構造になっている。
【００１８】
上記スツール本体１５は、木材板や合成樹脂板を用い、周壁１３は両側壁１３ａと後壁１３ｂ及び前方に突出する半円形の前壁１３ｃによって前部が半円の枠形に形成され、この前壁１３ｃは下端を延長することにより半円形の脚部１６と一体となり、この脚部１６は、スツール本体１５を踏み台１の上に載置したとき、下端が玄関の床面に達する程度の上下長さを有している。
【００１９】
上記脚部１６の下端両側に接地脚１７が上下に位置調整可能に取付けられ、また、スツール本体１５の両側壁１３ａの後端下部には、踏み台１の天板２に当接する高さ調節部材１８が取付けられている。これら接地脚１７や高さ調節部材１８は、ビスの頭部をゴムで覆った構造を有し、脚部１６及び両側壁１３ａに埋設したナット部材にねじ込むことにより、上下に位置調整可能に取付けられている。
【００２０】
上記スツール１１における底板１２の下面で後部寄りの位置に前後方向に長い突条１９が設けられ、上記踏み台１の天板２には、一方端部寄りの位置に、前記突条１９が前後にスライド可能となるよう嵌まり合う凹溝５が前後方向に沿って設けられ、スツール本体１５を踏み台の上に臨ませて前記突条１９を凹溝５に嵌め合わせた状態で、玄関用スツール１１を底板１２からねじ込んだビス２０で踏み台１に固定化するようになっている。
【００２１】
上記突条１９は、底板１２の下面における幅方向中央部で後部寄りの位置に固定され、前後端部にビス挿通孔が設けられ、また、底板１２の下面で前記突条１９を挟む両側の位置に、天板２上に当接するよう、ゴム製でビス挿通孔が設けられた当接部材２１が固定され、底板１２上から各ビス挿通孔を介して踏み台１の天板２に向けてねじ込んだ合計４本のビス２０で、スツール１１を踏み台１に固定化するようになっている。
【００２２】
図１乃至図３に示す第１の実施の形態のスツール１１は、座面板１４の後部を周壁１３における後壁１３ｂの上端にヒンジ２２を用いて取付け、座面板１４の起伏により周壁１３の上部開口を開閉自在とし、スツール本体１５の内部空間を小物部材の収納空間にしている。
【００２３】
上記座面板１４の下面には、周壁１３の上に伏倒させたとき、両側壁１３ａと後壁１３ｂ及び前壁１３ｃの内面に当接する突起２３を設け、座面板１４に加わる荷重で周壁１３に対して座面板１４に平面方向の位相のずれが生じないようにしている。
【００２４】
図４（ａ）と（ｂ）に示す第２の実施の形態のスツール１１は、座面板１４を周壁１３に対して固定し、前壁１３ｃに開口２４を設け、この開口２４から周壁１３の内部に出し入れできる引き出し２５を設けた構造になっている。
【００２５】
上記両実施の形態において、スツール１１は、例えば、座面板１４は前後長さが５００ｍｍ、横幅が３００ｍｍ程度の大きさとなり、周壁１３は横幅が２６０ｍｍ、高さは２２０ｍｍ、周壁１３の上端から脚部１６の下端までの寸法は３８０ｍｍ程度に設定され、周壁１３の下面と脚部１６の後縁とによって直角の入り隅が形成されている。
【００２６】
この発明のスツール１１と踏み台１は、上記のような構成であり、踏み台１は玄関の床面で居間との段差部分に設置し、居間に対する昇り降り時に段差を半減することで、昇り降りが楽に行えるようにする。
【００２７】
上記踏み台１に対してスツール１１を固定するには、スツール１１を踏み台１の凹溝５を設けた側の端部上に臨ませ、突条１９を凹溝５に嵌め合わせた状態で、周壁１３の下部を天板２上に載置し、脚部１６を踏み台１の前部に位置させる。
【００２８】
このとき、脚部１６に設けた接地脚１７を玄関の床面に当接するように調整し、また、高さ調節部材１８も天板の上面に当接するように調節する。
【００２９】
上記の状態で、踏み台１に対してスツール１１の前部を所要量突出させるための前後位置を、突条１９と凹溝５の嵌まり合いにより誘導しながら調整し、スツール１１の位置が決まると、底板１２上から各ビス挿通孔を介して踏み台１の天板２に向けてねじ込んだ合計４本のビス２０で、スツール１１を踏み台１に固定化する。
【００３０】
このように、踏み台１の上にスツール１１を固定すると、座面板１４の高さは、踏み台１と周壁１３の合計高さとなり、玄関で履物を着脱するときに、座面板１４に腰を下ろせば窮屈にならない姿勢で腰を掛けることができ、履物の着脱が楽な姿勢で行えるようになる。
【００３１】
なお、図１に示すように、前後に方向性のない踏み台１の場合、配置を前後逆にすれば、天板２の一端側に凹溝５を設けた場合でも凹溝５を左右何れの側にも持ってくることができ、玄関の上がり口に対してスツール１１を左右何れにでも配置することができる。
【００３２】
また、図５に示すように、踏み台１が設置するとき、前縁が凹入する等して前後に方向性のある構造の場合、上記凹溝５を天板２の両端部にそれぞれ設けることにより、天板２の両端部に対して何れの側にでもスツール１１を固定でき、玄関の上がり口に対してスツール１１を左右何れにでも配置することができる。
【００３３】
上記のようなスツール１１は、履物を着脱するときの椅子となるが、周壁１３の内部空間や引き出し２５に小物部材を収納することができるので便利である。
【図面の簡単な説明】
【００３４】
【図１】（ａ）はこの発明に係る第１の実施の形態のスツールを踏み台に固定した状態を示す斜視図、（ｂ）はスツールと踏み台の関係を示す分解斜視図
【図２】踏み台に対するスツールの固定構造を示す拡大した縦断面図
【図３】（ａ）は第１の実施の形態のスツールを示す底面の斜視図、（ｂ）は同じくスツールの座面板を開いた状態を示す斜視図
【図４】（ａ）は第２の実施の形態のスツールを示す斜視図、（ｂ）は同じくスツールの引き出しを引き出した状態を示す斜視図
【図５】設置時に前後に方向性がある踏み台とこれに固定するスツールの関係を示す分解斜視図
【符号の説明】
【００３５】
１        踏み台
２        天板
３        脚部
４        滑り止め用の溝
５        凹溝
１１      スツール
１２      底板
１３      周壁
１３ａ    側壁
１３ｂ    後壁
１３ｃ    前壁
１４      座面板
１５      スツール本体
１６      脚部
１７      接地脚
１８      高さ調節部材
１９      突条
２０      ビス
２１      当接部材
２２      ヒンジ
２３      突起
２４      開口
２５      引き出し
【図１】
2010131109.tif 000003
【図２】
2010131109.tif 000004
【図３】
2010131109.tif 000005
【図４】
2010131109.tif 000006
【図５】
2010131109.tif 000007